(57)【要約】  拡張ＤＲＸに対応した通信機器は、拡張ＤＲＸの設定パラメータを取得するために、ネットワークに含まれる管理装置とのネゴシエーションを行う。通信機器は、基地局から受信する報知情報に基づいて、当該基地局が拡張ＤＲＸに対応しているか否かを確認する。通信機器は、拡張ＤＲＸの設定パラメータが取得されているか否か、及び当該基地局が拡張ＤＲＸに対応しているか否かに基づいて、通信機器が拡張ＤＲＸ動作を行っているか否かを示す動作状態を外部機器に通知する。
2020080285.tif 000002
【特許請求の範囲】
【請求項１】
拡張ＤＲＸに対応した通信機器であって、
外部機器と電気的に接続するための接続部と、
ネットワークに含まれる基地局との無線通信を行う無線通信部と、
前記拡張ＤＲＸの設定パラメータを取得するために、前記ネットワークに含まれる管理装置とのネゴシエーションを行う制御部と、を備え、
前記制御部は、
前記基地局から前記無線通信部が受信する報知情報に基づいて、前記基地局が前記拡張ＤＲＸに対応しているか否かを確認し、
前記拡張ＤＲＸの設定パラメータが取得されているか否か、及び前記基地局が前記拡張ＤＲＸに対応しているか否かに基づいて、前記通信機器が拡張ＤＲＸ動作を行っているか否かを示す動作状態を前記外部機器に通知する
通信機器。
【請求項２】
前記制御部は、前記拡張ＤＲＸの設定パラメータが取得されており、且つ前記基地局が前記拡張ＤＲＸに対応している場合、前記通信機器が前記拡張ＤＲＸ動作を行っている旨を前記外部機器に通知する
請求項１に記載の通信機器。
【請求項３】
前記制御部は、前記拡張ＤＲＸの設定パラメータが取得されている場合であっても、前記基地局が前記拡張ＤＲＸに対応していない場合には、前記通信機器が前記拡張ＤＲＸ動作を行っていない旨を前記外部機器に通知する
請求項１又は２に記載の通信機器。
【請求項４】
前記制御部は、
前記拡張ＤＲＸの設定パラメータが取得されているか否かを示す設定状態を前記外部機器に通知し、
前記設定状態の通知とは別に前記動作状態の通知を行う
請求項１乃至３のいずれか１項に記載の通信機器。
【請求項５】
前記制御部は、前記拡張ＤＲＸに対応している対応基地局のエリアと前記拡張ＤＲＸに対応していない非対応基地局のエリアとの間で前記通信機器が移動したことに応じて、前記動作状態を前記外部機器に通知する
請求項１乃至４のいずれか１項に記載の通信機器。
【請求項６】
前記制御部は、前記拡張ＤＲＸの設定パラメータが取得されている状態と前記拡張ＤＲＸの設定パラメータが取得されていない状態との間で切り替わりがあったことに応じて、前記動作状態を前記外部機器に通知する
請求項１乃至５のいずれか１項に記載の通信機器。
【請求項７】
拡張ＤＲＸに対応した通信機器であって、
表示部と、
ネットワークに含まれる基地局との無線通信を行う無線通信部と、
前記拡張ＤＲＸの設定パラメータを取得するために、前記ネットワークに含まれる管理装置とのネゴシエーションを行う制御部と、を備え、
前記制御部は、
前記基地局から前記無線通信部が受信する報知情報に基づいて、前記基地局が前記拡張ＤＲＸに対応しているか否かを確認し、
前記拡張ＤＲＸの設定パラメータが取得されているか否か、及び前記基地局が前記拡張ＤＲＸに対応しているか否かに基づいて、前記通信機器が拡張ＤＲＸ動作を行っているか否かを示す動作状態を表示するように前記表示部を制御する
通信機器。
【請求項８】
拡張ＤＲＸに対応した通信機器を制御する制御方法であって、
前記拡張ＤＲＸの設定パラメータを取得するために、ネットワークに含まれる管理装置とのネゴシエーションを行うステップと、
前記ネットワークに含まれる基地局から前記通信機器が受信する報知情報に基づいて、前記基地局が前記拡張ＤＲＸに対応しているか否かを確認するステップと、
前記拡張ＤＲＸの設定パラメータが取得されているか否か、及び前記基地局が前記拡張ＤＲＸに対応しているか否かに基づいて、前記通信機器が拡張ＤＲＸ動作を行っているか否かを示す動作状態を外部機器に通知する又は前記動作状態を表示するステップと、を備える
制御方法。
【請求項９】
拡張ＤＲＸに対応した通信機器に、
前記拡張ＤＲＸの設定パラメータを取得するために、ネットワークに含まれる管理装置とのネゴシエーションを行うステップと、
前記ネットワークに含まれる基地局から前記通信機器が受信する報知情報に基づいて、前記基地局が前記拡張ＤＲＸに対応しているか否かを確認するステップと、
前記拡張ＤＲＸの設定パラメータが取得されているか否か、及び前記基地局が前記拡張ＤＲＸに対応しているか否かに基づいて、前記通信機器が拡張ＤＲＸ動作を行っているか否かを示す動作状態を外部機器に通知する又は前記動作状態を表示するステップと、を実行させる
プログラム。
【請求項１０】
請求項１乃至７のいずれか１項に記載の通信機器と、管理装置と、基地局と、を備える
通信システム。
【発明の詳細な説明】
【技術分野】
【０００１】
本発明は、通信機器、制御方法、プログラム、及び通信システムに関する。
【背景技術】
【０００２】
ＩｏＴ（Ｉｎｔｅｒｎｅｔ  ｏｆ  Ｔｈｉｎｇｓ）の普及に伴い、低消費電力且つ低コストの通信機器の需要が高まっている。このような需要に応えるために、消費電力を抑えつつ遠距離通信を実現する無線通信の方式であるＬＰＷＡ（Ｌｏｗ  Ｐｏｗｅｒ  Ｗｉｄｅ  Ａｒｅａ）が注目されている。【０００３】
ＬＰＷＡ方式の無線通信を行う通信機器は、データ通信が発生しない期間において無線通信を抑制することによって省電力化を実現している。このような省電力技術の１つとして、３ＧＰＰ（３ｒｄ  Ｇｅｎｅｒａｔｉｏｎ  Ｐａｒｔｎｅｒｓｈｉｐ  Ｐｒｏｊｅｃｔ）規格において規定された拡張ＤＲＸ（ｅｘｔｅｎｄｅｄ  Ｄｉｓｃｏｎｔｉｎｕｏｕｓ  Ｒｅｃｅｐｔｉｏｎ）が知られている。
【先行技術文献】
【非特許文献】
【０００４】
【非特許文献１】３ＧＰＰ技術仕様書「３ＧＰＰ  ＴＳ  ２７．００７  Ｖ１５．２．０」  ２０１８年６月
【発明の概要】
【０００５】
第１の特徴に係る通信機器は、拡張ＤＲＸに対応した通信機器である。前記通信機器は、外部機器と電気的に接続するための接続部と、ネットワークに含まれる基地局との無線通信を行う無線通信部と、前記拡張ＤＲＸの設定パラメータを取得するために、前記ネットワークに含まれる管理装置とのネゴシエーションを行う制御部とを備える。前記制御部は、前記基地局から前記無線通信部が受信する報知情報に基づいて、前記基地局が前記拡張ＤＲＸに対応しているか否かを確認し、前記拡張ＤＲＸの設定パラメータが取得されているか否か、及び前記基地局が前記拡張ＤＲＸに対応しているか否かに基づいて、前記通信機器が拡張ＤＲＸ動作を行っているか否かを示す動作状態を前記外部機器に通知する。
【０００６】
第２の特徴に係る通信機器は、拡張ＤＲＸに対応した通信機器である。前記通信機器は、表示部と、ネットワークに含まれる基地局との無線通信を行う無線通信部と、前記拡張ＤＲＸの設定パラメータを取得するために、前記ネットワークに含まれる管理装置とのネゴシエーションを行う制御部とを備える。前記制御部は、前記基地局から前記無線通信部が受信する報知情報に基づいて、前記基地局が前記拡張ＤＲＸに対応しているか否かを確認し、前記制御部は、前記拡張ＤＲＸの設定パラメータが取得されているか否か、及び前記基地局が前記拡張ＤＲＸに対応しているか否かに基づいて、前記通信機器が拡張ＤＲＸ動作を行っているか否かを示す動作状態を表示するように前記表示部を制御する。
【０００７】
第３の特徴に係る制御方法は、拡張ＤＲＸに対応した通信機器を制御する制御方法である。前記制御方法は、前記拡張ＤＲＸの設定パラメータを取得するために、ネットワークに含まれる管理装置とのネゴシエーションを行うステップと、前記ネットワークに含まれる基地局から前記通信機器が受信する報知情報に基づいて、前記基地局が前記拡張ＤＲＸに対応しているか否かを確認するステップと、前記拡張ＤＲＸの設定パラメータが取得されているか否か、及び前記基地局が前記拡張ＤＲＸに対応しているか否かに基づいて、前記通信機器が拡張ＤＲＸ動作を行っているか否かを示す動作状態を外部機器に通知する又は前記動作状態を表示するステップとを備える。
【０００８】
第４の特徴に係るプログラムは、拡張ＤＲＸに対応した通信機器に、前記拡張ＤＲＸの設定パラメータを取得するために、ネットワークに含まれる管理装置とのネゴシエーションを行うステップと、前記ネットワークに含まれる基地局から前記通信機器が受信する報知情報に基づいて、前記基地局が前記拡張ＤＲＸに対応しているか否かを確認するステップと、前記拡張ＤＲＸの設定パラメータが取得されているか否か、及び前記基地局が前記拡張ＤＲＸに対応しているか否かに基づいて、前記通信機器が拡張ＤＲＸ動作を行っているか否かを示す動作状態を外部機器に通知する又は前記動作状態を表示するステップとを実行させる。
【０００９】
第５の特徴に係る通信システムは、第１の特徴又は第２の特徴に係る通信機器と、管理装置と、基地局とを備える。
【発明の効果】
【００１０】
本発明によれば、拡張ＤＲＸの実際の動作状態をユーザに知らせることが可能な通信機器、制御方法、プログラム、及び通信システムを提供できる。
【図面の簡単な説明】
【００１１】
【図１】実施形態に係る通信システムの構成を示す図である。
【図２】実施形態に係る通信機器の構成を示す図である。
【図３】実施形態に係るｅＤＲＸに関する全体動作例を示す図である。
【図４】実施形態に係る通信機器のｅＤＲＸ動作例を示す図である。
【図５】実施形態に係るＡＴコマンドセットについて説明するための図である。
【図６】実施形態に係る通信機器による状態通知について説明するための図である。
【図７】他の実施形態に係る通信機器の構成を示す図である。
【発明を実施するための形態】
【００１２】
通信機器は、ネットワークに含まれる管理装置（ＭＭＥ：Ｍｏｂｉｌｉｔｙ  Ｍａｎａｇｅｍｅｎｔ  Ｅｎｔｉｔｙ）とのネゴシエーションにより拡張ＤＲＸの設定パラメータを取得することにより、拡張ＤＲＸが設定された状態（拡張ＤＲＸが有効な状態）になる。通信機器は、拡張ＤＲＸが設定された状態において、データ通信を行わないアイドル状態に遷移したことに応じて、拡張ＤＲＸの設定パラメータを用いて拡張ＤＲＸ動作を開始する。
【００１３】
３ＧＰＰ規格においては、外部機器（ＴＥ：Ｔｅｒｍｉｎａｌ  Ｅｑｕｉｐｍｅｎｔ）から通信機器（ＴＡ：Ｔｅｒｍｉｎａｌ  Ａｄａｐｔｏｒ）への問合せに応じて、通信機器が、拡張ＤＲＸが設定された状態であるか否かを示す設定状態を外部機器に通知する仕様が存在する。外部機器は、通信機器からの通知に応じた表示を行うことにより、現在の拡張ＤＲＸの設定状態をユーザに知らせることができる。
【００１４】
しかしながら、必ずしもネットワークの全ての基地局が拡張ＤＲＸに対応しているとは限らず、拡張ＤＲＸに対応していない基地局も存在しうる。拡張ＤＲＸに対応していない基地局のエリアに通信機器が在圏する場合、通信機器は、拡張ＤＲＸが設定された状態であっても拡張ＤＲＸ動作を行うことができない。
【００１５】
上述した３ＧＰＰ規格の仕様は、基地局が拡張ＤＲＸに対応しているか否かを考慮せずに、単に拡張ＤＲＸの設定状態を外部機器に通知するものである。このため、通信機器が実際に拡張ＤＲＸ動作を行っているか否かをユーザに知らせることができないという問題がある。
【００１６】
そこで、本開示は、拡張ＤＲＸの実際の動作状態をユーザに知らせることが可能とする。
【００１７】
図面を参照して実施形態について説明する。図面の記載において、同一又は類似の部分には同一又は類似の符号を付している。
【００１８】
（通信システムの構成）
図１は、本実施形態に係る通信システム１の構成を示す図である。図１に示すように、通信システム１は、通信機器１００と、外部機器２００と、ネットワーク３００と、サーバ４００とを有する。
【００１９】
通信機器１００は、ＬＰＷＡ方式の無線通信をネットワーク３００と行う機器である。通信機器１００は、通信モジュールと称されることがある。
【００２０】
ＬＰＷＡ方式は、消費電力を抑えつつ遠距離通信を実現する無線通信の方式である。実施形態において、ＬＰＷＡ方式として、セルラ通信規格の一つである３ＧＰＰ規格において規定されたｅＭＴＣ（ｅｎｈａｎｃｅｄ  Ｍａｃｈｉｎｅ  Ｔｙｐｅ  Ｃｏｍｍｕｎｉｃａｔｉｏｎｓ）方式又はＮＢ（Ｎａｒｒｏｗ  Ｂａｎｄ）−ＩｏＴ方式を用いる。ｅＭＴＣは、ＬＴＥカテゴリＭ１と称されることがある。ＮＢ−ＩｏＴは、ＬＴＥカテゴリＮＢ１と称されることがある。
【００２１】
ｅＭＴＣ方式又はＮＢ−ＩｏＴ方式は、通信機器の低コスト化を図るために、無線通信に利用する周波数帯域幅を狭い帯域幅に限定することによってハードウェアを単純化している。なお、ＮＢ−ＩｏＴ方式の無線通信に利用可能な周波数帯域幅は、ｅＭＴＣ方式の無線通信に利用可能な周波数帯域幅よりも狭い。
【００２２】
また、通信機器１００は、データ通信が発生しない期間において無線通信を抑制することによって省電力化を実現している。このような省電力技術としては、３ＧＰＰ規格において規定された拡張ＤＲＸ（以下、「ｅＤＲＸ」という）がある。通信機器１００は、ｅＤＲＸに対応している。ｅＤＲＸの詳細については後述する。
【００２３】
通信機器１００は、外部機器２００に接続される。具体的には、通信機器１００は、外部機器２００に直接接続されるか、又はケーブルを介して間接的に外部機器２００に接続される。通信機器１００は、例えば、ＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）方式又はＵＳＢ（Ｕｎｉｖｅｒｓａｌ  Ｓｅｒｉａｌ  Ｂｕｓ）方式の有線通信を外部機器２００と行う。
【００２４】
外部機器２００は、ＰＣ（Ｐｅｒｓｏｎａｌ  Ｃｏｍｐｕｔｅｒ）、センサ機器、メータ機器、又は自動販売機等の機器である。外部機器２００は、ＩｏＴ向けのアプリケーションを実行する。通信機器１００が接続された外部機器２００は、自身が無線通信の機能を有していなくても、通信機器１００を介してネットワーク３００やサーバ４００との通信を行うことができる。
【００２５】
ネットワーク３００は、通信事業者によって管理されるネットワークである。実施形態において、ネットワーク３００は３ＧＰＰ規格に準拠した構成を有する。具体的には、ネットワーク３００は、ＬＴＥに準拠したネットワークであるＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）である。
【００２６】
ネットワーク３００は、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）に準拠したネットワークであってもよい。ネットワーク３００は、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）に準拠したネットワークであるＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）であってもよい。
【００２７】
ネットワーク３００は、基地局３１０と、ＭＭＥ（Ｍｏｂｉｌｉｔｙ  Ｍａｎａｇｅｍｅｎｔ  Ｅｎｔｉｔｙ）３２０と、ＧＷ（Ｇａｔｅｗａｙ）３３０とを有する。ＭＭＥ３２０は、管理装置の一例である。なお、図１において１つの基地局３１０を例示しているが、ネットワーク３００には多数の基地局３１０が含まれていてもよい。
【００２８】
基地局３１０は、ＬＰＷＡ方式の無線通信を通信機器１００と行う装置である。基地局３１０は、ＭＭＥ３２０及びＧＷ３３０と接続される。
【００２９】
ＭＭＥ３２０は、通信機器１００の移動管理を行う装置である。ＭＭＥ３２０は、基地局３１０を介してＮＡＳ（Ｎｏｎ−Ａｃｃｅｓｓ  Ｓｔｒａｔｕｍ）シグナリングを用いて通信機器１００と通信することにより、通信機器１００が位置するトラッキングエリア（ページングを行うエリア単位）等を管理する。また、ＭＭＥ３２０は、ｅＤＲＸの設定パラメータを通信機器１００に提供する。
【００３０】
ＧＷ３３０は、ＰＤＮ−ＧＷ（Ｐａｃｋｅｔ  Ｄａｔａ  Ｎｅｔｗｏｒｋ  Ｇａｔｅｗａｙ）と、Ｓ−ＧＷ（Ｓｅｒｖｉｎｇ  Ｇａｔｅｗａｙ）とを含む。ＰＤＮ−ＧＷは、ネットワーク３００と外部ネットワーク（例えば、インターネット）との間のインターフェイスとして機能する。Ｓ−ＧＷは、ＰＤＮ−ＧＷと基地局３１０との間でデータの転送制御を行う。
【００３１】
サーバ４００は、外部ネットワーク（例えば、インターネット）に接続される。サーバ４００は、外部機器２００の通信先となる装置である。サーバ４００は、外部機器２００が実行するアプリケーション向けのデータを生成し、ネットワーク３００及び通信機器１００を介してデータを外部機器２００に転送する。
【００３２】
（通信機器の構成）
図２は、本実施形態に係る通信機器１００の構成を示す図である。図２に示すように、通信機器１００は、アンテナ１１０と、無線通信部１２０と、制御部１３０と、記憶部１４０と、電源管理部１５０と、接続部１６０とを有する。通信機器１００には、図示を省略するインターフェイスを介してＵＩＭ／ＳＩＭ１７０及びセンサ１８０を接続可能である。
【００３３】
アンテナ１１０は、無線信号の送受信に用いられる。無線通信部１２０は、ネットワーク３００に含まれる基地局３１０との無線通信を行う。無線通信部１２０は、アンテナ１１０が基地局３１０から受信した無線信号に対して増幅処理及びフィルタ処理等を行い、無線信号をベースバンド信号に変換して制御部１３０に出力する。また、無線通信部１２０は、制御部１３０から入力されたベースバンド信号を無線信号に変換し、増幅処理等を行ってアンテナ１１０から送信する。
【００３４】
制御部１３０は、通信機器１００における各種の処理及び制御を行う。例えば、制御部１３０は、ＬＰＷＡ方式によって基地局３１０との無線通信を行うように無線通信部１２０を制御する。制御部１３０は、少なくとも１つのプロセッサを含む。プロセッサは、ベースバンドプロセッサと、ＣＰＵ（Ｃｅｎｔｒａｌ  Ｐｒｏｃｅｓｓｉｎｇ  Ｕｎｉｔ）とを含んでもよい。ベースバンドプロセッサは、ベースバンド信号の変調・復調及び符号化・復号等を行う。ＣＰＵは、記憶部１４０に記憶されたプログラムを実行して各種の処理を行う。
【００３５】
記憶部１４０は、揮発性メモリ及び不揮発性メモリを含み、制御部１３０により実行されるプログラム、及び制御部１３０による処理に用いられる情報を記憶する。
【００３６】
電源管理部１５０は、バッテリ及びその周辺回路を含む。電源管理部１５０は、通信機器１００の駆動電力を供給する。なお、通信機器１００が外部機器２００とＵＳＢにより接続される場合、駆動電力が外部機器２００からＵＳＢ給電により供給されてもよい。
【００３７】
接続部１６０は、外部機器２００と電気的に接続するためのインターフェイスである。接続部１６０に外部機器２００が電気的に接続された状態において、制御部１３０は、外部機器２００がネットワーク３００と送受信するデータの転送処理を行う。
【００３８】
ＵＩＭ／ＳＩＭ１７０は、ネットワーク３００との通信を行うために必要な加入者情報等を記憶する。センサ１８０は、温度、湿度、気圧、照度、加速度、地磁気等を測定し、測定値を出力する。
【００３９】
このように構成された通信機器１００において、制御部１３０は、ｅＤＲＸの設定パラメータを取得するために、ネットワーク３００に含まれるＭＭＥ３２０（管理装置）とのネゴシエーションを行う。例えば、制御部１３０は、通信機器１００の電源投入時に、ネットワーク３００に接続（アタッチ）する際にＭＭＥ３２０とのネゴシエーションを行ってもよい。制御部１３０は、通信機器１００が一のトラッキングエリアから他のトラッキングエリアへの移動時に、ネットワーク３００にトラッキングエリア更新を通知する際にＭＭＥ３２０とのネゴシエーションを行ってもよい。
【００４０】
なお、ｅＤＲＸの設定パラメータは、ｅＤＲＸサイクル及びページング時間ウィンドウを含む。これらのパラメータの詳細については後述する。
【００４１】
制御部１３０は、ＭＭＥ３２０からｅＤＲＸの設定パラメータを取得することにより、ｅＤＲＸが設定された状態（すなわち、ｅＤＲＸが有効な状態）になる。制御部１３０は、ｅＤＲＸが設定された状態において、データ通信を行わないアイドル状態に遷移したことに応じて、ｅＤＲＸの設定パラメータを用いてｅＤＲＸ動作を開始する。
【００４２】
アイドル状態は、通信機器１００がネットワーク３００とのＲＲＣ（Ｒａｄｉｏ  Ｒｅｓｏｕｒｃｅ  Ｃｏｎｔｒｏｌ）コネクションを持たないモードであって、ＲＲＣアイドル状態と称されることがある。アイドル状態にある通信機器１００は、ネットワーク３００からの呼び出しであるページングを監視する。また、アイドル状態にある通信機器１００が移動する場合、移動に応じて在圏先のセルを切り替えるためにセル再選択動作を行う。
【００４３】
また、制御部１３０は、基地局３１０から無線通信部１２０が受信する報知情報に基づいて、基地局３１０がｅＤＲＸに対応しているか否かを確認する。報知情報は、基地局３１０がブロードキャストするシステム情報であって、例えばシステム情報ブロック・タイプ１（ＳＩＢ１）である。なお、制御部１３０は、アイドル状態においても、無線通信部１２０が受信するＳＩＢ１を取得できる。
【００４４】
ＳＩＢ１は、情報要素として「ｅＤＲＸ−Ａｌｌｏｗｅｄ」を含む。基地局３１０から受信するＳＩＢ１に「ｅＤＲＸ−Ａｌｌｏｗｅｄ」が含まれている場合、当該基地局３１０のエリア（セル）においてｅＤＲＸが許可されていること、すなわち、通信機器１００が在圏するエリアがｅＤＲＸに対応していることを示す。一方、基地局３１０から受信するＳＩＢ１に「ｅＤＲＸ−Ａｌｌｏｗｅｄ」が含まれていない場合、ｅＤＲＸの使用を停止しなければならない。
【００４５】
このため、ｅＤＲＸを行うためには、通信機器１００がアイドル状態にあることを前提として、１）ｅＤＲＸの設定パラメータが取得されている、２）通信機器１００が在圏するエリア（基地局３１０）がｅＤＲＸに対応している、という２つの条件が満たされている必要がある。
【００４６】
本実施形態において、制御部１３０は、ｅＤＲＸの設定パラメータが取得されているか否か、及び基地局３１０がｅＤＲＸに対応しているか否かに基づいて、通信機器１００がｅＤＲＸ動作を行っているか否かを示す動作状態を外部機器２００に通知する。例えば、制御部１３０は、ＡＴコマンドセットの一種である非請求Ｒｅｓｕｌｔ（ｕｎｓｏｌｉｃｉｔｅｄ  ｒｅｓｕｌｔ）により動作状態を外部機器２００に通知する。ＡＴコマンドセットの詳細については後述する。
【００４７】
例えば、制御部１３０は、ｅＤＲＸの設定パラメータが取得されており、且つ基地局３１０がｅＤＲＸに対応している（すなわち、基地局３１０が「ｅＤＲＸ−Ａｌｌｏｗｅｄ」を含むＳＩＢ１をブロードキャストしている）場合、通信機器１００がｅＤＲＸ動作を行っている旨を外部機器２００に通知する。一方、ｅＤＲＸの設定パラメータが取得されている場合であっても、基地局３１０がｅＤＲＸに対応していない場合には、制御部１３０は、通信機器１００がｅＤＲＸ動作を行っていない旨を外部機器２００に通知する。
【００４８】
このように、本実施形態に係る通信機器１００（制御部１３０）によれば、ｅＤＲＸの設定パラメータが取得されているか否かだけではなく、基地局３１０がｅＤＲＸに対応しているか否かも考慮して、ｅＤＲＸの実際の動作状態を外部機器２００に通知できるため、ｅＤＲＸの実際の動作状態をユーザに知らせることが可能になる。
【００４９】
制御部１３０は、ｅＤＲＸの設定パラメータが取得されているか否かを示す設定状態を外部機器２００に通知してもよい。このような設定状態の通知は、３ＧＰＰ規格のＡＴコマンドセットの仕様に準拠した通知であってもよい。制御部１３０は、このような設定状態の通知とは別に、上述した動作状態の通知を行う。これにより、ｅＤＲＸの設定状態及びｅＤＲＸの実際の動作状態の両方をユーザに知らせることができる。
【００５０】
（通信システムの動作例）
通信システム１の動作例について、ｅＤＲＸ、ＡＴコマンドセット、及び状態通知の順に説明する。
【００５１】
（１）ｅＤＲＸ
図３は、ｅＤＲＸに関する全体動作例を示す図である。図３に示す動作例は、基地局３１０がｅＤＲＸに対応している場合の動作例である。
【００５２】
図３に示すように、ステップＳ１において、基地局３１０は、自身がｅＤＲＸに対応していることを示す情報要素である「ｅＤＲＸ−Ａｌｌｏｗｅｄ」を含むＳＩＢ１をブロードキャストする。通信機器１００は、「ｅＤＲＸ−Ａｌｌｏｗｅｄ」を含むＳＩＢ１を受信する。
【００５３】
ステップＳ２において、通信機器１００は、ＮＡＳシグナリングにより、アタッチ要求メッセージ（Ａｔｔａｃｈ）又はトラッキングエリア更新メッセージ（ＴＡＵ）をＭＭＥ３２０に送信する。通信機器１００は、自身が要求するｅＤＲＸ設定パラメータをこれらのメッセージに含める。ｅＤＲＸ設定パラメータは、ｅＤＲＸサイクル及びページング時間ウィンドウを含む。
【００５４】
ＭＭＥ３２０は、ＮＡＳシグナリングにより、アタッチ要求メッセージ又はトラッキングエリア更新メッセージに対する応答メッセージを通信機器１００に送信する。応答メッセージは、通信機器１００に設定するｅＤＲＸ設定パラメータを含む。但し、ＭＭＥ３２０は、例えばネットワーク３００がｅＤＲＸに対応していない場合、通信機器１００にｅＤＲＸ設定パラメータを提供しないことがある。
【００５５】
このように、通信機器１００は、ＭＭＥ３２０とのネゴシエーション（ステップＳ１及びＳ２）によりｅＤＲＸ設定パラメータを取得する。
【００５６】
ステップＳ４において、基地局３１０は、通信機器１００とのＲＲＣコネクションを解放する接続開放メッセージ（ＲＲＣ  Ｃｏｎｎｅｃｔｉｏｎ  Ｒｅｌｅａｓｅ）を通信機器１００に送信する。これにより、通信機器１００は、ＲＲＣ接続状態からＲＲＣアイドル状態に遷移する。通信機器１００は、ＲＲＣアイドル状態においてｅＤＲＸ動作を行う。
【００５７】
ステップＳ５において、ＭＭＥ３２０は、通信機器１００を呼び出すためのページングメッセージ（Ｐａｇｉｎｇ）を基地局３１０に送信する。ページングメッセージは、通信機器１００の識別子及び通信機器１００に設定されているｅＤＲＸ設定パラメータ等を含む。
【００５８】
ステップＳ６において、基地局３１０は、ＭＭＥ３２０から受信したページングメッセージに含まれるｅＤＲＸ設定パラメータに基づいてページングメッセージを送信する。ページングメッセージは、通信機器１００の識別子を含む。通信機器１００は、自身宛のページングメッセージを受信すると、ＲＲＣ接続状態に遷移するためのプロシージャを開始する。
【００５９】
図４は、通信機器１００のｅＤＲＸ動作例を示す図である。
【００６０】
図４に示すように、ｅＤＲＸ動作を行う通信機器１００は、設定されたｅＤＲＸサイクルごとにスリープ状態から復帰してページングメッセージを監視する。具体的には、以下の１乃至５のような動作を行う。
【００６１】
１：通信機器１００は、ＲＲＣ接続状態（Ｃｏｎｎｅｃｔ状態）からＲＲＣアイドル状態（Ｉｄｌｅ状態）に遷移する。ＲＲＣアイドル状態への遷移により、ページングメッセージの監視を停止するスリープ状態に移行する。
【００６２】
２：通信機器１００は、スリープ状態である時間が所定時間経過すると、スリープ状態から間欠受信状態に移行し、設定されたページング時間ウィンドウ（ＰＴＷ）の間、ページングメッセージを間欠的に監視する。また、通信機器１００は、設定されたｅＤＲＸサイクルを計時するタイマを開始する。
【００６３】
３：通信機器１００は、ページング時間ウィンドウが終了すると、スリープ状態に移行する。
【００６４】
４：通信機器１００は、ｅＤＲＸサイクルのタイマが満了すると、間欠受信状態に戻り、ｅＤＲＸサイクルのタイマを再開する。
【００６５】
５：通信機器１００は、通信が再開されるまで、２乃至４を繰り返し、データ通信再開で通常状態に復帰する。
【００６６】
（２）ＡＴコマンドセット
図５は、ＡＴコマンドセットについて説明するための図である。
【００６７】
・ＳＥＴコマンド
図５（Ａ）に示すように、外部機器２００は、ＳＥＴコマンドを通信機器１００に送信する。ＳＥＴコマンドは、通信機器１００のｅＤＲＸの設定を制御する。また、ＳＥＴコマンドは、通信機器１００がｅＤＲＸを適用するか否か、及び、アクセス技術（通信方式）ごとに要求ｅＤＲＸ設定パラメータを適用するか否かを制御する。
【００６８】
ＳＥＴコマンドは、モードを示す情報と、アクセス技術を示す情報と、要求ｅＤＲＸ設定パラメータとを含む。ここで、モードは、例えば、１）ｅＤＲＸの使用を無効にする、２）ｅＤＲＸの使用を有効にする、３）ｅＤＲＸの使用を有効にし、且つ非請求Ｒｅｓｕｌｔを有効にする、の中から選択される。非請求Ｒｅｓｕｌｔが有効にされると、通信機器１００は、ネットワーク３００から提供されるｅＤＲＸ設定パラメータが変更された際に非請求Ｒｅｓｕｌｔを外部機器２００に送信する。アクセス技術は、例えば、ＧＳＭ、ＵＴＲＡＮ、Ｅ−ＵＴＲＡＮの中から選択される。要求ＤＲＸ値は、ｅＤＲＸサイクルを含む。
【００６９】
・ＲＥＡＤコマンド
図５（Ｂ）に示すように、外部機器２００は、ＲＥＡＤコマンドを通信機器１００に送信する。通信機器１００は、ＲＥＡＤコマンドの受信に応じて、アクセス技術ごとに現在の設定（要求ＤＲＸ値）を外部機器２００に送信する。
【００７０】
・非請求Ｒｅｓｕｌｔ
図５（Ｃ）に示すように、通信機器１００は、ＳＥＴコマンドにより非請求Ｒｅｓｕｌｔが有効にされている場合において、ネットワーク３００から提供されるｅＤＲＸ設定パラメータが変更された際に、非請求Ｒｅｓｕｌｔを外部機器２００に送信する。非請求Ｒｅｓｕｌｔは、アクセス技術を示す情報と、要求ｅＤＲＸ設定パラメータと、ネットワークから提供されたｅＤＲＸ設定パラメータとを含む。ここで、アクセス技術がｅＤＲＸを使用していない場合（すなわち、ネットワーク３００からｅＤＲＸ設定パラメータを取得できない場合）、通信機器１００は、その旨を非請求Ｒｅｓｕｌｔに含める。このような非請求Ｒｅｓｕｌｔは、ｅＤＲＸの設定状態の通知（設定状態通知）に相当する。
【００７１】
本実施形態において、通信機器１００は、ｅＤＲＸの設定パラメータが取得されているか否か、及び基地局３１０がｅＤＲＸに対応しているか否かに基づいて、通信機器１００がｅＤＲＸ動作を行っているか否かを示す動作状態を非請求Ｒｅｓｕｌｔにより外部機器２００に通知する。このような非請求Ｒｅｓｕｌｔは、ｅＤＲＸの動作状態の通知（動作状態通知）に相当する。
【００７２】
（３）状態通知
図６は、通信機器１００から外部機器２００への状態通知について説明するための図である。
【００７３】
図６に示すように、通信機器１００の電源オン後の初期状態ＳＴ０において、通信機器１００は、ネットワーク３００へのアタッチ（Ａｔｔａｃｈ）の際にＭＭＥ３２０とのネゴシエーションを行う。その結果、通信機器１００は、ｅＤＲＸ設定パラメータが取得された状態（ｅＤＲＸ有効）、ｅＤＲＸ設定パラメータが取得されない状態（ｅＤＲＸ無効）の何れかの状態になる。また、通信機器１００が在圏するエリアは、ｅＤＲＸ対応エリア、ｅＤＲＸ非対応エリアの何れかである。
【００７４】
このため、アタッチ後の通信機器１００の状態としては、下記の４通りがある。
【００７５】
ＳＴ１：ｅＤＲＸ無効、且つｅＤＲＸ非対応エリア。
【００７６】
ＳＴ２：ｅＤＲＸ無効、且つｅＤＲＸ対応エリア。
【００７７】
ＳＴ３：ｅＤＲＸ有効、且つｅＤＲＸ非対応エリア。
【００７８】
ＳＴ４：ｅＤＲＸ有効、且つｅＤＲＸ対応エリア。
【００７９】
ここで、ＳＴ１乃至ＳＴ４のうち、通信機器１００がｅＤＲＸ動作を行うのはＳＴ４のみである。よって、通信機器１００は、ＳＴ０からＳＴ４への状態遷移の場合、ｅＤＲＸ動作中である旨の動作状態通知を外部機器２００に対して行う。一方、ＳＴ０からＳＴ１、ＳＴ２、又はＳＴ３への状態遷移の場合、ｅＤＲＸ非動作中である旨の動作状態通知を外部機器２００に対して行う。
【００８０】
また、通信機器１００は、トラッキングエリア更新（ＴＡＵ）の際にＭＭＥ３２０とのネゴシエーションを行う。その結果、通信機器１００は、ｅＤＲＸ有効、ｅＤＲＸ無効の何れかの状態になる。通信機器１００は、ｅＤＲＸ有効とｅＤＲＸ無効との間の切り替わりがあったことに応じて、動作状態通知を外部機器２００に対して行う。
【００８１】
また、通信機器１００は、移動に伴うセル再選択により、ｅＤＲＸ非対応エリア（ｅＤＲＸ非対応基地局のエリア）とｅＤＲＸ対応エリア（ｅＤＲＸ対応基地局のエリア）との間で在圏エリアを切り替える。ここで、ＳＴ１とＳＴ２との間の状態遷移では、通信機器１００は、ｅＤＲＸ非動作中のままであるため、動作状態通知を行わない。一方、ＳＴ３とＳＴ４との間の状態遷移では、通信機器１００は、ｅＤＲＸ動作中とｅＤＲＸ非動作中との切り替えを行うため、動作状態通知を行う。
【００８２】
（その他の実施形態）
上述した実施形態において、通信機器１００がｅＤＲＸの動作状態を外部機器２００に通知する一例について説明した。しかしながら、図７に示すように、通信機器１００が表示部１９０（例えば、液晶ディスプレイ、有機ＥＬディスプレイ、ＬＥＤディスプレイ、ＬＥＤインジケータ）を有する場合、通信機器１００の制御部１３０は、ｅＤＲＸの動作状態を表示するように表示部１９０を制御してもよい。制御部１３０は、ｅＤＲＸの動作状態を文字列、アイコン、記号、表示色等によって表現してもよい。
【００８３】
通信機器１００が行う各処理をコンピュータに実行させるプログラムが提供されてもよい。プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。また、通信機器１００が行う各処理を実行する機能部（回路）を集積化し、半導体集積回路（チップセット、ＳｏＣ）として構成してもよい。
【００８４】
以上、図面を参照して実施形態について詳しく説明したが、具体的な構成は上述のものに限られることはなく、要旨を逸脱しない範囲内において様々な設計変更等をすることが可能である。
【００８５】
本願は、日本国特許出願第２０１８−１９５４１０号（２０１８年１０月１６日出願）の優先権を主張し、その内容の全てが本願明細書に組み込まれている。
【図１】
2020080285.tif 000003
【図２】
2020080285.tif 000004
【図３】
2020080285.tif 000005
【図４】
2020080285.tif 000006
【図５】
2020080285.tif 000007
【図６】
2020080285.tif 000008
【図７】
2020080285.tif 000009
【国際調査報告】
2020080285.tif 000010
2020080285.tif 000011